(57)【要約】【課題】直管ランプにランプチューブユニットを取り付けたままの状態で、直管ランプを照明器具に取り付ける作業の効率をよくする。【解決手段】ランプチューブユニットは、チューブと、二つのパッキンとを有する。パッキンは、チューブ保持部１１０（広径部）、チューブ当接部１２０（庇部）、ランプ保持部１３０（狭径部）を有する。チューブ保持部１１０は、外径φ１１がチューブの内径と略等しく、内径が一方（Ａ方向）の端から他方（Ｂ方向）の端へいくほど（φ１３からφ１４へ）小さくなる。チューブ当接部１２０は、チューブ保持部１１０に対してチューブ保持部１１０の内径が小さい端の側（Ｂ方向）に位置し、外径φ１５がチューブの内径より大きい。ランプ保持部１３０は、チューブ当接部１２０に対してチューブ保持部１１０と反対側（Ｂ方向）に位置し、外径φ１６がチューブの内径より小さい。【選択図】図４
2009245845.tif 000002
【特許請求の範囲】
【請求項１】
チューブに取り付けるパッキンにおいて、
略円筒状で、弾性を有し、
外径が上記チューブの内径と略等しく、内径が一方の端から他方の端へいくほど小さくなる広径部と、
上記広径部に対して上記広径部の内径が小さい端の側に位置し、外径が上記チューブの内径より大きい庇部と、
上記庇部に対して上記広径部と反対側に位置し、外径が上記チューブの内径より小さい狭径部とを有することを特徴とするパッキン。
【請求項２】
直管状の発光部と、上記発光部の両端に位置する口金部とを有する直管ランプを覆うランプチューブユニットにおいて、
上記直管ランプの発光部を覆う形状で、光を透過するチューブと、
上記チューブの両端に結合して、上記直管ランプを保持する二つのパッキンとを有し、
上記二つのパッキンの各パッキンは、
上記チューブの内側の面と接触して、摩擦力により上記チューブを保持するチューブ保持部と、
上記チューブの端と当接して、上記チューブとの位置関係を固定するチューブ当接部と、
上記直管ランプと接触して、摩擦力により上記直管ランプを保持するランプ保持部とを有することを特徴とするランプチューブユニット。
【請求項３】
上記チューブは、略円筒状であり、長さが上記直管ランプの発光部と略等しく、内径が上記直管ランプの発光部の外径より大きく、
上記パッキンは、略円筒状であり、弾性を有し、
上記チューブ保持部は、外径が上記チューブの内径と略等しく、内径が一方の端から他方の端へいくほど小さくなり、
上記チューブ当接部は、上記チューブ保持部に対して上記チューブ保持部の内径が小さい端の側に位置し、外径が上記チューブの内径より大きいことを特徴とする請求項２に記載のランプチューブユニット。
【請求項４】
上記ランプ保持部は、上記チューブ当接部に対して上記チューブ保持部と反対側に位置し、外径が上記チューブの内径より小さく、内径が上記直管ランプの口金部と略等しく、上記直管ランプの口金部と接触することを特徴とする請求項３に記載のランプチューブユニット。
【請求項５】
上記ランプ保持部は、上記チューブ保持部の内側に位置し、内径が上記直管ランプの発光部と略等しく、上記直管ランプの発光部と接触することを特徴とする請求項２乃至請求項４のいずれかに記載のランプチューブユニット。
【請求項６】
上記ランプ保持部は、
内径が略一定であり、上記直管ランプと接触するランプ接触部と、
内径が上記ランプ接触部より大きく、上記直管ランプと接触しない溝部とを有することを特徴とする請求項２乃至請求項５のいずれかに記載のランプチューブユニット。
【請求項７】
上記チューブ当接部は、外径が上記チューブの外径と略等しいことを特徴とする請求項２乃至請求項６のいずれかに記載のランプチューブユニット。
【請求項８】
上記ランプチューブユニットは、上記発光部の内部にフィラメントを有する直管ランプを覆い、
上記チューブ保持部は、長さが上記直管ランプの発光部の端から上記フィラメントの位置までの距離よりも短いことを特徴とする請求項２乃至請求項７のいずれかに記載のランプチューブユニット。
【請求項９】
上記ランプチューブユニットは、上記直管ランプを取り付けるため上記直管ランプの口金部を挿入する口金挿入部を有する照明器具に、上記直管ランプを覆ったままで上記直管ランプを取り付け可能であり、
上記ランプ保持部は、外径が上記口金挿入部の内径よりも小さいことを特徴とする請求項２乃至請求項８のいずれかに記載のランプチューブユニット。
【請求項１０】
上記ランプチューブユニットは、上記直管ランプを取り付けるため上記直管ランプの発光部を挿入する発光挿入穴を有する照明器具に、上記直管ランプを覆ったままで上記直管ランプを取り付け可能であり、
上記チューブは、外径が上記発光挿入穴の内径より小さく、
上記チューブ当接部は、外径が上記発光挿入穴の内径より小さいことを特徴とする請求項２乃至請求項９のいずれかに記載のランプチューブユニット。
【請求項１１】
請求項２乃至請求項１０のいずれかに記載のランプチューブユニットと、
上記ランプチューブユニットが上記直管ランプを覆ったままで上記直管ランプを取り付けるランプ取付部とを有することを特徴とする照明器具。
【発明の詳細な説明】
【技術分野】
【０００１】
この発明は、蛍光灯などの直管ランプを覆うランプチューブユニットに関する。
【背景技術】
【０００２】
蛍光灯などの直管ランプを保温したり、紫外線など特定の周波数の波長の光をカットしたりするため、直管ランプに透光性チューブを被せる技術がある。
透光性チューブをランプに保持するためには、ゴムパッキンや樹脂キャップなどが用いられている。
また、照明器具に直管ランプを取り付ける構造には、例えば、突き当て式ソケット、回転式ソケット、防水ソケットなど、様々な形状のものがある。
【特許文献１】特開２００５−２６０２５号公報
【発明の開示】
【発明が解決しようとする課題】
【０００３】
突き当て式ソケットに直管ランプを取り付けるには、直管ランプをソケットの可動部に突き当てて、可動部を押し込む必要がある。回転式ソケットに直管ランプを取り付けるには、軸方向を中心にして直管ランプを回転する必要がある。
直管ランプにランプチューブを取り付けた場合、直管ランプがランプチューブに覆われるので、直管ランプを直接持って作業することができない。このため、上記のような操作をする際の作業性が損なわれる場合がある。
この発明は、例えば、上記のような課題を解決するためになされたものであり、直管ランプにランプチューブを取り付けたままの状態で、照明器具への取り付け、取り外しなどの作業を容易にできるようにすることを目的とする。
【課題を解決するための手段】
【０００４】
この発明にかかるパッキンは、チューブに取り付けるパッキンにおいて、略円筒状で、弾性を有し、
外径が上記チューブの内径と略等しく、内径が一方の端から他方の端へいくほど小さくなる広径部と、上記広径部に対して上記広径部の内径が小さい端の側に位置し、外径が上記チューブの内径より大きい庇部と、上記庇部に対して上記広径部と反対側に位置し、外径が上記チューブの内径より小さい狭径部とを有することを特徴とする。
【発明の効果】
【０００５】
この発明にかかるパッキンによれば、広径部がチューブの内側の面と接触して、摩擦力により、チューブを保持し、狭径部が直管ランプと接触して、摩擦力により、直管ランプを保持して、チューブと直管ランプとを固定するので、作業者が直管ランプを直接持っているのと同じ感覚で、チューブの上から、ランプチューブユニットに覆われた直管ランプを持って作業をすることができ、作業効率が良くなるという効果を奏する。
【発明を実施するための最良の形態】
【０００６】
実施の形態１．
実施の形態１について、図１〜図１２を用いて説明する。
【０００７】
図１は、この実施の形態におけるランプチューブユニットの全体構成を示す図である。
ランプチューブユニット（透光性ランプチューブユニット、直管蛍光ランプチューブユニット）は、直管ランプ３００（直管蛍光ランプ）を保温したり、直管ランプ３００から出る紫外線などを遮断したりするために、直管ランプ３００を覆い、直管ランプ３００を覆ったままの状態で、照明器具などに取り付けられる。
ランプチューブユニットは、二つのパッキン１００と、チューブ２００とを有する。
チューブ２００（透光性ランプチューブ）は、円筒形であり、光を透過する材質（例えばポリカーボネート）で構成されている。
パッキン１００（筒状ゴムパッキン、筒状パッキン）は、おおむね円筒状であり、弾性を有する材質（例えばシリコンゴム）で構成されている。
【０００８】
ランプチューブユニットを直管ランプ３００に取り付ける手順は、例えば、以下の通りである。
まず、チューブ２００の一方の端にパッキン１００を取り付ける。
次に、チューブ２００内に直管ランプ３００を挿入する。
最後に、チューブ２００の反対側の端にもう一つのパッキン１００を取り付けて、チューブ２００に挿入された直管ランプ３００を保持する。
【０００９】
その後、ランプチューブユニットに覆われた直管ランプ３００を、照明器具に取り付ける。
【００１０】
図２は、この実施の形態における直管ランプ３００の構造を示す一部破断図である。
直管ランプ３００は、例えばＨｆ蛍光灯であり、細長い円柱状である。
直管ランプ３００は、ガラス管３１０、口金３２０、電極３３０を有する。
ガラス管３１０（発光部）は、中空円柱形であり、ガラス管３１０の内部には、低気圧のガスが封入され、両端にフィラメント３４０がある。ガラス管３１０は、フィラメント３４０間の放電により、発光する。
口金３２０（口金部）は、二つあり、ガラス管３１０の両端に位置する。口金３２０は、底のある円筒形である。
電極３３０は、各口金３２０ごとに二つ、合計四つあり、口金３２０の外側に突出した棒状の突起であって、導電性物質で構成される。各電極３３０は、フィラメント３４０に電気接続している。
なお、ガラス管３１０の長さをＬ３１、直径をφ３１、口金３２０の長さをＬ３２、直径をφ３２、電極３３０の長さをＬ３３、ガラス管３１０の端からフィラメント３４０までの長さをＬ３４と記述する。例えば、ＦＨＦ３２型のランプの場合、ガラス管３１０の外径φ３１は約２５．５ｍｍ、二つの口金３２０の間の長さ（Ｌ３１＋Ｌ３２×２）は約１１９８ｍｍ、電極３３０の長さＬ３３は約７ｍｍ程度である。
【００１１】
図３は、この実施の形態におけるチューブ２００の構造を示す一部破断図である。
チューブ２００は、透光円筒部２１０を有する。
透光円筒部２１０は、成形誤差などを除き、ほとんど真っ直ぐな円筒形である。
内壁２１１は、透光円筒部２１０の内側の面である。外壁２１２は、透光円筒部２１０の外側の面である。端面２１３は、透光円筒部２１０の両端の面である。
なお、透光円筒部２１０の長さをＬ２１、内壁２１１の直径（内径）をφ２１、外壁２１２の直径（外径）をφ２２と記述する。チューブ２００の形状と直管ランプ３００の形状との関係は、以下の通りである。
透光円筒部２１０の内径φ２１は、直管ランプ３００のガラス管３１０の外径φ３１よりも大きい。すなわち、直管ランプ３００をチューブ２００の中に挿入すると、直管ランプ３００とチューブ２００との間に隙間ができるので、直管ランプ３００をチューブ２００から自在に出し入れすることができる。例えば、直管ランプ３００がＦＨＦ３２型の場合、透光円筒部２１０の内径φ２１は３０ｍｍ程度とする。
また、透光円筒部２１０の長さＬ２１は、ガラス管３１０の長さＬ３１とほぼ等しい。すなわち、直管ランプ３００をチューブ２００に挿入すると、チューブ２００がガラス管３１０をほぼ覆い、チューブ２００の両側から口金３２０がはみ出す状態となる。Ｌ２１は、最大でも、不等式（Ｌ２１−Ｌ３１）／２＜Ｌ３２−Ｌ３３を満たす長さまでとする。これにより、チューブ２００の両端から口金３２０がはみ出した部分の長さが、電極３３０の長さよりも長くなる。例えば、直管ランプ３００がＦＨＦ３２型の場合、透光円筒部２１０の長さＬ２１は１１８０ｍｍ程度とする。
【００１２】
図４は、この実施の形態におけるパッキン１００の構造を示す一部破断図である。
この図において、Ａ方向は、パッキン１００をチューブ２００に取り付けるとき、チューブ２００がある側を示す。Ｂ方向は、Ａ方向と反対の方向を示す。
【００１３】
パッキン１００は、チューブ保持部１１０、チューブ当接部１２０、ランプ保持部１３０を有する。
チューブ保持部１１０（広径部）は、パッキン１００をチューブ２００に取り付けるとき、透光円筒部２１０の中に挿入し、透光円筒部２１０の内壁２１１（内周）と接触して、摩擦力によりチューブ２００を保持する部分である。
チューブ当接部１２０（庇部）は、パッキン１００をチューブ２００に取り付けるとき、透光円筒部２１０の端面２１３（端部）と当接して、パッキン１００とチューブ２００との位置関係を固定し、パッキン１００の位置決めをする。これにより、パッキン１００を押し込み過ぎて、チューブ２００の中に入ってしまうのを防ぐことができる。
ランプ保持部１３０（狭径部）は、チューブ２００内に挿入された直管ランプ３００の口金３２０と接触して、摩擦力により直管ランプ３００を保持する部分である。
【００１４】
チューブ保持部１１０について、更に詳しく説明する。
チューブ保持部１１０は、全体の長さＬ１１が、ガラス管３１０の端からフィラメント３４０までの長さＬ３４よりも短い。チューブ保持部１１０は、外側に、テーパー部１１１、チューブ接触部１１２を有し、内側に、内壁テーパー部１１３、ランプ当接部１１４を有する。
テーパー部１１１は、チューブ保持部１１０に対して、一番Ａ方向側に位置する。テーパー部１１１は、Ａ方向の端の外径φ１２より、Ｂ方向の端の外径φ１１のほうが大きく、Ａ方向の側からＢ方向の側へ向けて、一定の傾きで外径が大きくなる。テーパー部１１１は、パッキン１００をチューブ２００に取り付けるとき、チューブ保持部１１０を透光円筒部２１０の中に挿入しやすくするためのガイドの役割を果たす。
チューブ接触部１１２は、テーパー部１１１に対して、Ｂ方向側に隣接している。チューブ接触部１１２の外径は、φ１１でほぼ一定である。チューブ接触部１１２の外径φ１１は、透光円筒部２１０の内径φ２１とほぼ等しい。これにより、チューブ接触部１１２は、透光円筒部２１０の内壁２１１と接触し、内壁２１１との間に摩擦が生じるので、パッキン１００がチューブ２００から外れにくくなる。また、チューブ２００は弾性体で構成されているので、φ１１は、φ２１よりもわずかに大きくてもよい。その場合、パッキン１００をチューブ２００に取り付けるとき、チューブ保持部１１０を透光円筒部２１０に押し込む必要があるが、その分、摩擦力が大きくなり、パッキン１００の外れにくさが増すので、好ましい。
内壁テーパー部１１３（傾斜部分）は、チューブ保持部１１０のＡ方向側に位置する。内壁テーパー部１１３は、Ａ方向の端の内径φ１３より、Ｂ方向側の内径φ１４のほうが小さく、Ａ方向の側からＢ方向の側へ向けて一定の緩やかな傾きで内径が小さくなる。また、φ１３及びφ１４は、ともに、ガラス管３１０の外径φ３１よりも大きい。これにより、一方のパッキン１００を取り付けたチューブ２００に、反対側から直管ランプ３００を挿入するとき、直管ランプ３００の中心軸が正しくパッキン１００の中心軸と合わないと、直管ランプ３００の口金３２０が内壁テーパー部１１３に当たるので、口金３２０をパッキン１００の中央へ導いて、直管ランプ３００とパッキン１００の軸中心を合わせ、挿入しやすくする。また、直管ランプ３００を挿入したチューブ２００に、もう一つのパッキン１００を取り付けるときも、内壁テーパー部１１３が直管ランプ３００の口金３２０に当たり、口金３２０をパッキン１００の中央へ導いて、直管ランプ３００とパッキン１００の軸中心を合わせ、挿入しやすくする。
ランプ当接部１１４（傾斜部分）は、内壁テーパー部１１３に対して、Ｂ方向側に隣接している。ランプ当接部１１４は、Ａ方向側の端の内径が、内壁テーパー部１１３のＢ方向側の端と同じφ１３で、内壁テーパー部１１３と連続し、Ｂ方向側の端の内径φ１６が、φ１３より小さく、Ａ方向の側からＢ方向の側へ向けて一定の傾きで内径が小さくなる。また、φ１３は、直管ランプ３００のガラス管３１０の外径φ３１よりも小さく、口金３２０の外径φ３２とほぼ等しい。ランプ当接部１１４の傾きは、内壁テーパー部１１３よりも急である。これにより、一方のパッキン１００を取り付けたチューブ２００に直管ランプ３００を挿入する場合、および、直管ランプ３００を挿入したチューブ２００にパッキン１００を取り付ける場合、直管ランプ３００の中心軸が正しくパッキン１００の中心軸と合わないと、直管ランプ３００の口金３２０がランプ当接部１１４に当たって、口金３２０をランプ保持部１３０のなかへ導く。
また、直管ランプ３００が２つのパッキン１００のほぼ中央の位置でないとき、ランプ当接部１１４がガラス管３１０に当たって、直管ランプ３００がランプチューブユニットのほぼ中央の位置となるように導いて、位置決めの役割を果たす。
【００１５】
次に、チューブ当接部１２０について、説明する。
チューブ当接部１２０は、長さがＬ１２で、チューブ保持部１１０のＢ方向側に隣接している。チューブ当接部１２０は、外側に、チューブ当接面１２１、庇外周部１２２、外側テーパー部１２３を有する。
庇外周部１２２は、チューブ当接部１２０のＡ方向側に位置し、外径φ１５がチューブ接触部１１２の外径φ１２より大きい。庇外周部１２２のＡ方向側の端の外径と、チューブ接触部１１２のＢ方向側の端の外径が異なるので、チューブ接触部１１２と庇外周部１２２との間には段差があり、チューブ当接面１２１が形成されている。
庇外周部１２２の外径φ１５は、透光円筒部２１０の内径φ２１より大きいので、パッキン１００をチューブ２００に取り付けるとき、チューブ保持部１１０を透光円筒部２１０の内側にある程度まで挿入すると、透光円筒部２１０の端面２１３に、チューブ当接面１２１が当接し、それ以上チューブ２００にパッキン１００を挿入できなくなる。
また、庇外周部１２２の外径φ１５は、透光円筒部２１０の外壁２１２の外径φ２２とほぼ等しい。これにより、ランプチューブユニットに覆われた直管ランプ３００を照明器具に取り付けるとき、チューブ当接部１２０が邪魔になるのを防ぐことができる。
外側テーパー部１２３は、チューブ当接部１２０のＢ方向側に位置し、Ａ方向側の外径が、庇外周部１２２の外径と等しいφ１５であり、Ｂ方向側の外径φ１６が、φ１５よりも小さく、Ａ方向の側からＢ方向の側へ向けて、外径が一定の傾きで小さくなる。また、φ１６は、透光円筒部２１０の内径φ２１よりも小さい。
【００１６】
次に、ランプ保持部１３０について、説明する。
ランプ保持部１３０は、全体の長さがＬ１３で、チューブ当接部１２０のＢ方向側に隣接している。ランプ保持部１３０の外径φ１６は、ほぼ一定であり、チューブ保持部１１０の外径φ１１よりも例えば３ｍｍ程度小さい。例えば、直管ランプ３００がＦＨＦ３２型である場合、ランプ保持部１３０の外径φ１６は２７ｍｍ程度である。
ランプ保持部１３０は、内側に、ランプ接触部１３１，１３３、溝部１３２を有する。
ランプ接触部１３１，１３３（係合部）の内径は、φ１７でほぼ一定である。φ１７は、口金３２０の外径φ３２とほぼ等しい。直管ランプ３００を挿入したチューブ２００にパッキン１００を取り付けると、口金３２０にランプ接触部１３１，１３３が接触し、摩擦力を生じる。これにより、直管ランプ３００を保持することができる。また、パッキン１００は弾性体で構成されているので、φ１７は、φ３２よりわずかに小さくてもよい。
溝部１３２（凹部分）は、ランプ接触部１３１とランプ接触部１３３との間にリング状に設けられた溝状の部分であり、内径がφ１７よりも大きい。したがって、溝部１３２は、口金３２０と接触せず、摩擦力を生じない。
【００１７】
ランプ保持部１３０と口金３２０との間に生じる摩擦力が強いほど、直管ランプ３００をしっかりと保持できる。しかし、あまり摩擦力が強すぎると、直管ランプ３００を挿入したチューブ２００にパッキン１００を装着しようとした際、反対側のパッキン１００が外れてしまう場合があり、取付け作業の効率が悪くなる。これに対し、ランプ保持部１３０と口金３２０との間に生じる摩擦力が、チューブ保持部１１０とチューブ２００との間に生じる摩擦力より小さければ、反対側のパッキン１００が外れることはなく、取付作業を効率的に行うことができる。
【００１８】
ランプ接触部１３１とランプ接触部１３３との間に溝部１３２があることにより、ランプ保持部１３０と口金３２０との間に生じる摩擦力が緩和されて弱くなるので、ランプ保持部１３０と口金３２０との間に生じる摩擦力を、チューブ保持部１１０とチューブ２００との間に生じる摩擦力よりも小さくすることができ、取付作業の効率化ができる。
【００１９】
図５は、この実施の形態におけるランプチューブユニットが直管ランプ３００を覆い、直管ランプ３００と一体となったときの構造を示す図である。
この図に示すように、ランプ保持部１３０が口金３２０を周りから押さえて保持するので、直管ランプ３００は、軸がチューブ２００の軸とほぼ一致して保持される。また、長手方向に関しても、直管ランプ３００は、二つのパッキン１００のほぼ中央の位置に保持される。
また、チューブ保持部１１０の長さＬ１１が、ガラス管３１０の端からフィラメント３４０までの長さＬ３４より短いので、ガラス管３１０の発光をほとんど遮ることがない。このため、ガラス管３１０が発した光を有効に利用でき、ランプチューブユニットを取り付けたことにより照度が落ちるのを防ぐことができる。
【００２０】
次に、ランプチューブユニットにより覆われた状態の直管ランプ３００を、照明器具に取り付ける作業について、説明する。
【００２１】
図６は、この実施の形態における照明器具４００の構造を示す図である。
照明器具４００は、二つのランプソケット４１０（ランプ取付部）を有する。
二つのランプソケット４１０は、互いに対向する位置に設けられ、直管ランプ３００の電極３３０と係合することにより、直管ランプ３００を保持する。
また、照明器具４００は、放電灯点灯装置（図示せず）を有する。放電灯点灯装置は、商用電源などの交流電源から交流電圧を入力し、入力した交流電圧から、ランプソケット４１０に接続した直管ランプ３００に印加する電圧を生成する。放電灯点灯装置が生成した電圧は、ランプソケット４１０を介して、直管ランプ３００に印加される。
【００２２】
二つのランプソケット４１０の間隔Ｌ４１は、直管ランプ３００の口金３２０間の長さ（ガラス管３１０の長さＬ３１＋口金３２０の長さＬ３２×２）より長く、電極３３０間の長さ（口金３２０間の長さ＋電極３３０の長さＬ３３×２）より短い。
【００２３】
図７は、この実施の形態におけるランプソケット４１０の構造を示す図である。
ランプソケット４１０は、いわゆる突き当て式であり、ソケット本体４１１、ソケット可動部４２０を有する。
ソケット本体４１１は、照明器具４００の本体に固定されている部分であり、口金挿入部４１２を有する。
口金挿入部４１２は、内径φ４２が、直管ランプ３００の口金３２０の外径φ３２より大きい円状の穴である。口金挿入部４１２の内径φ４２は、例えば、ガラス管３１０の外径φ３１と同程度である。パッキン１００のランプ保持部１３０の外径φ１３は、口金挿入部４１２の内径φ４２よりも小さい。
ソケット可動部４２０は、口金挿入部４１２のなかに位置し、ソケット本体４１１に対して、Ｃ−Ｄ方向に所定の距離移動させることができる。図示していないバネなどの働きにより、ソケット可動部４２０は、何も力を加えなければ、可動範囲のなかで一番Ｄ方向寄りの位置にあり、Ｃ方向への力を加えると、Ｃ方向へ移動する（口金挿入部４１２内に押し込まれる）。
ソケット可動部４２０は、電極挿入穴４２１を有する。
電極挿入穴４２１は、直管ランプ３００の電極３３０を挿入する穴である。
【００２４】
図８は、この実施の形態におけるランプソケット４１０に直管ランプ３００を取り付ける様子を示す一部破断図である。
二つのランプソケット４１０の間の長さＬ４１は、直管ランプ３００の電極３３０間の長さより短い。ランプソケット４１０に直管ランプ３００を取り付けるには、一方の電極３３０を電極挿入穴４２１に挿入して、ソケット可動部４２０をＣ方向へ押し、口金３２０を口金挿入部４１２へ挿入することにより、反対側の電極３３０を電極挿入穴４２１へ挿入できるようになる。反対側の電極３３０を電極挿入穴４２１へ挿入して、手を離すと、押し込まれたほうのソケット可動部４２０は、バネなどの力でＣ方向へ復元し、二つのソケット可動部４２０に働く力が釣り合う地点で停止する。
【００２５】
ランプチューブユニットに直管ランプ３００を取り付けた状態において、直管ランプ３００はほとんど露出している部分がないので、チューブ２００ごと掴んで、ランプソケット４１０に取り付けることになる。
このとき、ソケット可動部４２０を押し込むため、直管ランプ３００をＣ方向へ動かす必要がある。この実施の形態におけるランプチューブユニットは、ランプ保持部１３０が摩擦力により直管ランプ３００を保持しているので、チューブ２００の上から直管ランプ３００をＣ方向へ動かそうとする力が、ランプ保持部１３０を介して直管ランプ３００に伝わる。これにより、直管ランプ３００をランプソケット４１０に取り付ける作業を効率的に実行することができる。
【００２６】
また、ランプ保持部１３０の外径φ１６が、口金挿入部４１２の内径φ４２よりも小さいので、ソケット可動部４２０をＣ方向へ押し込む際、口金挿入部４１２に、ランプ保持部１３０によって保持された口金３２０を無理なく挿入することができ、直管ランプ３００をランプソケット４１０に取り付ける作業を効率的に実行することができる。
【００２７】
図９は、この実施の形態におけるランプソケット４１０の構造の別の例を示す図である。
ランプソケット４１０は、いわゆる回転式であり、ソケット本体４１１、ソケット回転部４３０を有する。
ソケット本体４１１は、電極挿入スリット４１３を有する。
電極挿入スリット４１３は、直管ランプ３００の電極３３０をスライドさせて挿入するための切込みである。
ソケット回転部４３０は、中心を軸にして、ソケット本体４１１に対して、Ｅ−Ｆ方向に９０度回転可能である。
ソケット回転部４３０は、電極挿入溝４３１を有する。ソケット回転部４３０をＥ方向へ回転すると、電極挿入溝４３１の入口が電極挿入スリット４１３と一致し、電極挿入溝４３１のなかへ直管ランプ３００の電極３３０をスライドさせて挿入することができる。また、電極挿入溝４３１をＦ方向へ回転すると、図示していないロック機構が働き、電極挿入溝４３１に挿入された電極３３０を固定する。
【００２８】
図１０は、この実施の形態におけるランプソケット４１０に直管ランプ３００を取り付けた様子を示す一部破断図である。
二つのランプソケット４１０の間の長さＬ４１は、直管ランプ３００の電極３３０間の長さより短いが、口金３２０間の長さよりは長い。また、二つのランプソケット４１０の電極挿入スリット４１３間の長さ（Ｌ４１＋Ｌ４３×２）は、直管ランプ３００の電極３３０間の長さより短いので、電極挿入スリット４１３に電極３３０を通すことにより、二つのランプソケット４１０間に直管ランプ３００を挿入することができる。その後、電極挿入溝４３１に直管ランプ３００の電極３３０が係合した状態で、直管ランプ３００を９０度回転させることにより、ソケット回転部４３０が９０度回転し、電極３３０が固定される。
【００２９】
このような形状のランプソケット４１０である場合も、ランプチューブユニットに直管ランプ３００を取り付けた状態では、直管ランプ３００はほとんど露出していないので、チューブ２００ごと掴んで、ランプソケット４１０に取り付けることになる。
このとき、直管ランプ３００を回転させる必要があるが、ランプ保持部１３０が摩擦力により直管ランプ３００を保持しているので、チューブ２００の上から直管ランプ３００を回転させようとする力が、ランプ保持部１３０を介して直管ランプ３００に伝わる。これにより、直管ランプ３００をランプソケット４１０に取り付ける作業を効率的に実行することができる。
【００３０】
図１１は、この実施の形態におけるランプソケット４１０の構造の更に別の例を示す図である。
ランプソケット４１０は、いわゆるねじ込み式防水ソケットであり、ソケット本体４１１、ソケット可動部４２０を有し、別部品として、防水ソケットキャップ４４０を備える。
防水ソケットキャップ４４０は、おおむね円筒状であり、ランプ挿入穴４４１（発光挿入穴）を有する。ランプ挿入穴４４１の内径φ４４は、直管ランプ３００のガラス管３１０の外径φ３１より大きい。
また、防水ソケットキャップ４４０は、防水ソケットパッキン４４２を有する。防水ソケットパッキン４４２は、おおむね円筒状であり、ゴムなどの弾性体で構成されている。防水ソケットパッキン４４２は、ランプ挿入穴４４１の内側に固定されている。
ソケット本体４１１は、雄ネジ４１６を有する。雄ネジ４１６は、防水ソケットキャップ４４０の内側に切られた雌ネジ（図示せず）と係合して、防水ソケットキャップ４４０を固定する。
また、ソケット本体４１１は、雄ネジ４１６の内側に、防水パッキン係合溝４１７を有する。防水ソケットキャップ４４０をソケット本体４１１に取り付けると、防水ソケットパッキン４４２が防水パッキン係合溝４１７に入る。
【００３１】
ランプソケット４１０に直管ランプ３００を取り付ける際は、まず、直管ランプ３００に防水ソケットキャップ４４０を通し、その後、直管ランプ３００の電極３３０を電極挿入穴４２１に挿入する。次に、防水ソケットキャップ４４０を雄ネジ４１６に係合させて、ネジを締める。このとき、防水ソケットパッキン４４２は、ソケット本体４１１と防水ソケットキャップ４４０とに挟まれて、両側から圧迫されて、内側に膨らみ、オーリング状となって、直管ランプ３００と密着し、水の浸入を防ぐ。
【００３２】
図１２は、この実施の形態におけるランプソケット４１０に直管ランプ３００を取り付けた様子を示す一部破断図である。
ランプチューブユニットに覆われた直管ランプ３００を、ランプソケット４１０に取り付ける場合、ランプ挿入穴４４１の内径φ４４がチューブ２００の外径φ２１より大きい防水ソケットキャップ４４０を用いる。同様の手順を踏むことにより、防水ソケットパッキン４４２がチューブ２００と密着して、水の浸入を防ぐ。
このとき、チューブ当接部１２０の外径φ１５は、チューブ２００の外径φ２２とほぼ等しいので、ランプ挿入穴４４１の内径φ４４は、チューブ当接部１２０の外径φ１５より大きく、ランプチューブユニットを取り付けた直管ランプ３００を、防水ソケットキャップ４４０に通すことができる。
【００３３】
ここで、直管ランプ３００の外径φ３１について、説明する。
直管ランプ３００には、ＦＬ管、ＦＬＲ管、Ｈｆ管などの種類がある。直管ランプ３００の外径φ３１は、ＦＬ管、ＦＬＲ管の場合、例えば３２ｍｍ、ＦＬ／ＳＳ管の場合、例えば２８ｍｍ、Ｈｆ管の場合、例えば、２５．５ｍｍである。
防水ソケットキャップ４４０のランプ挿入穴４４１の内径φ４４は、直管ランプ３００の外径φ３１に近いほうが防水効果が高いので、直管ランプ３００の外径φ３１の違いに対応して、複数種類の内径φ４４を有する防水ソケットキャップ４４０がある。
【００３４】
チューブ２００の外径φ２２も、直管ランプ３００の外径φ３１に対応して決められるが、Ｈｆ管あるいはＦＬ／ＳＳ管用のチューブ２００として、外径φ２１が３２ｍｍ、もしくは、Ｈｆ管用のチューブ２００として、外径φ２１が２８ｍｍであるチューブ２００を用いることとする。
例えば、チューブ２００の外径φ２２を３２ｍｍとした場合、ＦＬ管用の防水ソケットキャップ４４０を用いれば、大きさがちょうどいいので、最も高い防水効果を得ることができる。同様に、チューブ２００の外径φ２２を２８ｍｍとした場合、ＦＬ／ＳＳ管用の防水ソケットキャップ４４０を用いれば、最も高い防水効果を得ることができる。
【００３５】
このように、チューブ２００の外径φ２２を、直管ランプ３００より太い既存の直管ランプの外径と同じ外径とすれば、ちょうどよい大きさの防水ソケットキャップ４４０が存在するので、高い防水効果を得ることができ、好ましい。
【００３６】
以上のように、この実施の形態におけるランプチューブユニットは、ランプチューブユニットに覆われた直管ランプ３００を、様々な形状のランプソケット４１０を有する照明器具４００に取り付けることができる。
【００３７】
この実施の形態におけるパッキン１００は、チューブ２００に取り付けるパッキン１００において、略円筒状で、弾性を有し、
外径φ１１が上記チューブ２００の内径φ２１と略等しく、内径が一方（Ａ方向）の端から他方（Ｂ方向）の端へいくほど（φ１２からφ１３へ）小さくなる広径部（チューブ保持部１１０）と、上記広径部（チューブ保持部１１０）に対して上記広径部（チューブ保持部１１０）の内径が小さい端の側（Ｂ方向）に位置し、外径φ１５が上記チューブ２００の内径（φ２１）より大きい庇部（チューブ当接部１２０）と、上記庇部（チューブ当接部１２０）に対して上記広径部（チューブ保持部１１０）と反対側（Ｂ方向）に位置し、外径φ１６が上記チューブ２００の内径φ２１より小さい狭径部（ランプ保持部１３０）とを有するので、広径部（チューブ保持部１１０）がチューブ２００の内側の面（内壁２１１）と接触して、摩擦力により、チューブ２００を保持し、狭径部（ランプ保持部１３０）が直管ランプ３００と接触して、摩擦力により、直管ランプ３００を保持して、チューブ２００と直管ランプ３００とを固定するので、作業者が直管ランプ３００を直接持っているのと同じ感覚で、チューブ２００の上から、ランプチューブユニットに覆われた直管ランプ３００を持って作業をすることができ、作業効率が良くなるという効果を奏する。
【００３８】
この実施の形態におけるランプチューブユニットは、直管状の発光部（ガラス管３１０）と、上記発光部（ガラス管３１０）の両端に位置する口金部（口金３２０）とを有する直管ランプ３００を覆うランプチューブユニットにおいて、上記直管ランプ３００の発光部（ガラス管３１０）を覆う形状で、光を透過するチューブ２００と、上記チューブ２００の両端に結合して、上記直管ランプ３００を保持する二つのパッキン１００とを有し、上記二つのパッキン１００の各パッキン１００は、上記チューブ２００の内側の面（内壁２１１）と接触して、摩擦力により上記チューブ２００を保持するチューブ保持部１１０と、上記チューブ２００の端（端面２１３）と当接して、上記チューブ２００との位置関係を固定するチューブ当接部１２０と、上記直管ランプ３００と接触して、摩擦力により上記直管ランプ３００を保持するランプ保持部１３０とを有するので、チューブ２００と直管ランプ３００とを固定することができ、作業者が直管ランプ３００を直接持っているのと同じ感覚で、チューブ２００の上から、ランプチューブユニットに覆われた直管ランプ３００を持って作業をすることができ、作業効率が良くなるという効果を奏する。
【００３９】
この実施の形態におけるチューブ２００は、略円筒状であり、長さＬ２１が上記直管ランプの発光部（ガラス管３１０）と略等しく、内径φ２１が上記直管ランプ３００の発光部（ガラス管３１０）の外径φ３１より大きく、上記パッキン１００は、略円筒状であり、弾性を有し、上記チューブ保持部１１０は、外径φ１１が上記チューブ２００の内径φ２１と略等しく、内径が一方（Ａ方向）の端から他方（Ｂ方向）の端へいくほど（φ１３からφ１４へ）小さくなり、上記チューブ当接部１２０は、上記チューブ保持部１１０に対して上記チューブ保持部１１０の内径が小さい端の側（Ａ方向）に位置し、外径φ１３が上記チューブ２００の内径φ２１より大きいので、ランプチューブユニットを直管ランプ３００に取り付けるとき、直管ランプ３００の中心軸とチューブ２００の中心軸とが一致するよう、直管ランプ３００を導くことができ、また、チューブ２００にパッキン１００を取り付けるとき、パッキン１００を所定の位置で固定することができるという効果を奏する。
【００４０】
この実施の形態におけるランプ保持部１３０は、上記チューブ当接部１２０に対して上記チューブ保持部１１０と反対側（Ｂ方向）に位置し、外径φ１６が上記チューブの内径φ２１より小さく、内径φ１７が上記直管ランプ３００の口金部（口金３２０）と略等しく、上記直管ランプ３００の口金部（口金３２０）と接触するので、直管ランプ３００をしっかりと保持することができるとともに、ランプ保持部１３０の外径φ１５よりも内径が大きい口金挿入部４１２に、口金部（口金３２０）を挿入することにより直管ランプ３００を取り付けるランプソケット４１０に、ランプチューブユニットに覆われた状態の直管ランプ３００を、無理なく取り付けることができるという効果を奏する。
【００４１】
また、直管ランプ３００は、一般に、口金部（口金３２０）のほうが、発光部（ガラス管３１０）よりも加工精度が高く、寸法公差が小さい。したがって、直管ランプ３００の加工誤差により、摩擦力が弱すぎて直管ランプ３００をしっかりと固定できなかったり、摩擦力が強すぎてランプチューブユニットを取り付けにくくなったりすることがなく、直管ランプ３００にランプチューブユニットを取り付ける作業や、ランプチューブユニットを取り付けた直管ランプ３００を照明器具４００に取り付ける作業の効率が高くなる。
【００４２】
この実施の形態におけるランプ保持部１３０は、内径が略一定（φ１６）であり、上記直管ランプ３００と接触するランプ接触部１３１，１３３と、内径が上記ランプ接触部１３１，１３３より大きく、上記直管ランプ３００と接触しない溝部１３２とを有するので、ランプ保持部１３０と直管ランプ３００との間に発生する摩擦力を、チューブ保持部１１０とチューブ２００との間に発生する摩擦力よりも弱くすることができ、直管ランプ３００にランプチューブユニットを取り付ける作業中に、パッキン１００が外れるのを防ぐことができるという効果を奏する。
【００４３】
この実施の形態におけるチューブ当接部１２０は、外径φ１５が上記チューブ２００の外径φ２２と略等しいので、チューブ２００の外径φ２２よりも大きい内径φ４４を有する発光挿入穴（ランプ挿入穴４４１）に、チューブ２００を挿入することにより直管ランプ３００を取り付けるランプソケット４１０に、ランプチューブユニットに覆われた状態の直管ランプ３００を、無理なく取り付けることができるという効果を奏する。
【００４４】
この実施の形態におけるランプチューブユニットは、上記発光部（ガラス管３１０）の内部にフィラメント３４０を有する直管ランプ３００を覆い、上記チューブ保持部１１０は、長さＬ１１が上記直管ランプ３００の発光部（ガラス管３１０）の端から上記フィラメント３４０の位置までの距離Ｌ３４よりも短いので、パッキン１００によって直管ランプ３００の発光部（ガラス管３１０）が覆われる部分が少なく、意匠性に優れるとともに、直管ランプ３００が発した光を有効に利用でき、照度が落ちるのを防ぐことができるという効果を奏する。
【００４５】
この実施の形態におけるランプチューブユニットは、上記直管ランプ３００を取り付けるため上記直管ランプ３００の口金部（口金３２０）を挿入する口金挿入部４１２を有する照明器具４００に、上記直管ランプ３００を覆ったままで上記直管ランプ３００を取り付け可能であり、上記ランプ保持部１３０は、外径φ１６が上記口金挿入部４１２の内径φ４２よりも小さいので、ランプチューブユニットに覆われた状態の直管ランプ３００を、照明器具４００に無理なく取り付けることができるという効果を奏する。
【００４６】
この実施の形態におけるランプチューブユニットは、上記直管ランプ３００を取り付けるため上記直管ランプ３００の発光部（ガラス管３１０）を挿入する発光挿入穴（ランプ挿入穴４４１）を有する照明器具４００に、上記直管ランプ３００を覆ったままで上記直管ランプ３００を取り付け可能であり、上記チューブ２００は、外径φ２２が上記発光挿入穴（ランプ挿入穴４４１）の内径φ４４より小さく、上記チューブ当接部１２０は、外径φ１５が上記発光挿入穴（ランプ挿入穴４４１）の内径φ４４より小さいので、ランプチューブユニットに覆われた状態の直管ランプ３００を、照明器具４００に無理なく取り付けることができるという効果を奏する。
【００４７】
この実施の形態における照明器具は、上記ランプチューブユニットと、上記ランプチューブユニットが上記直管ランプ３００を覆ったままで上記直管ランプ３００を取り付けるランプ取付部（ランプソケット４１０）とを有するので、ランプチューブユニットにより、直管ランプ３００を保温したり、直管ランプ３００から出る紫外線をカットしたりすることができるという効果を奏する。
【００４８】
以上説明したように、パッキン１００は、筒状である。パッキン１００の外側（外周）の形状を詳しくみると、Ａ方向からＢ方向にかけて順に、チューブ２００に挿入されて固定されるチューブ接触部１１２（透光性ランプチューブ固定部）、チューブ２００に挿入されず外径がチューブ２００の外径と同程度もしくはそれ以下である庇外周部１２２、チューブ２００に挿入されず外径がチューブ２００の外径より一段小さくなっているランプ保持部１３０がある。また、パッキン１００の内側（内周）には、Ａ方向からＢ方向にかけて順に、直管ランプ３００が挿入され直管ランプ３００の装着性を向上する内壁テーパー部１１３（取付傾斜部）、直管ランプ３００のガラス管３１０が接することで直管ランプ３００とチューブ２００との位置が決まるランプ当接部１１４（ストッパー傾斜部）、直管ランプ３００の外周に接してチューブ２００の軸芯方向の動き及び軸芯を中心とした回転に対して直管ランプ３００を固定するランプ接触部１３１，１３３（ランプ固定部）がある。
これにより、直管ランプ３００とパッキン１００との間の摩擦力が強くなり、ランプソケット４１０が回転式ソケットである照明器具４００に直管ランプ３００を取り付ける場合、チューブ２００のみが回転してしまうのを防ぎ、直管ランプ３００をランプソケット４１０に容易に取り付けることができる。また、ランプソケット４１０が突き当て式ソケットである照明器具４００に直管ランプ３００を取り付ける場合、ランプソケット４１０の突き当て板を十分に押し込むことができ、直管ランプ３００をランプソケット４１０に容易に取り付けることができる。
特に、チューブ２００の板厚が厚い場合には、チューブ２００を強く握ることでチューブ２００内の直管ランプ３００を保持することができないので、パッキン１００と口金３２０との摩擦力のみで、直管ランプ３００を動かして、直管ランプ３００を照明器具４００に取り付けることになる。そのような場合であっても、直管ランプ３００とパッキン１００との間の摩擦力が強いので、容易に取付作業をすることができる。
更に、突き当て式ソケットのソケット可動部４２０の周りにある口金挿入部４１２の内径が小さい場合であっても、チューブ２００の端部やパッキン１００と干渉することがないので、容易に取り付けることができる。
【００４９】
また、パッキン１００のチューブ接触部１１２における摩擦力が、ランプ接触部１３１，１３３における摩擦力よりも大きい。これにより、ランプチューブユニット内に直管ランプ３００を装着する際に、パッキン１００がチューブ２００から外れるのを防ぐことができ、直管ランプ３００の装着が容易にできる。
【００５０】
また、パッキン１００のうち、チューブ２００に挿入されるチューブ保持部１１０の先端が、直管ランプ３００の口金とフィラメントとの間にある。これにより、発光部（ガラス管３１０）を覆う面積が小さいので、暗くならず、意匠性もよい。
【００５１】
また、直管ランプ３００をねじ込み式防水ソケットに取り付ける場合、防水ソケットキャップ４４０の締付部がチューブ２００の外周に接する。これにより、防水ソケットへの取付けが容易にできる。
【００５２】
以上のように、この実施の形態におけるランプチューブユニットは、直管ランプ３００への取付性がよく、一つのランプチューブユニットで、回転式ソケット、突き当て式ソケット、防水ソケットなど異なる種類のソケットに容易に取り付けることができる。
【００５３】
この実施の形態におけるランプチューブユニットによれば、パッキン１００を小型化することができるので、ランプチューブユニットを製造するために使われる材料を減らすことができる。
また、直管ランプ３００にランプチューブユニットを装着したとき、パッキン１００が直管ランプ３００を保持するので、ランプチューブユニットを装着した直管ランプ３００を照明器具４００に取り付けたり、照明器具４００から取り外したりする作業において、ランプチューブユニットを傾けても、誤って直管ランプ３００を落下させることがなく、取り付け取り外し作業を安全に行うことができる。
【００５４】
実施の形態２．
実施の形態２について、図１３，図１４を用いて説明する。
この実施の形態におけるランプチューブユニットの全体構成は、実施の形態１で説明したものと同様なので、ここでは説明を省略する。
【００５５】
図１３は、この実施の形態におけるパッキン１００の構造を示す一部破断図である。
この実施の形態におけるパッキン１００は、ランプ保持部１３０がチューブ保持部１１０の内側にあり、実施の形態１でランプ保持部１３０があった位置には、口金保護部１４０がある。
口金保護部１４０は、直管ランプ３００の口金３２０を覆って保護する部分であり、直管ランプ３００を保持するためのものではないので、なくてもよい。
口金保護部１４０は、口金接触部１４１を有する。口金接触部１４１の内径φ１８は、口金３２０の外径φ３２とほぼ等しい。
ランプ保持部１３０は、ランプ接触部１３１，１３３、溝部１３２を有する。ランプ接触部１３１，１３３の内径φ１７は、ガラス管３１０の外径φ３１とほぼ等しい。
【００５６】
図１４は、この実施の形態におけるランプチューブユニットを直管ランプ３００に取り付けた様子を示す一部破断図である。
このように、ランプ接触部１３１，１３３がガラス管３１０と接触し、摩擦力により、直管ランプ３００を保持する。また、口金接触部１４１が口金３２０と接触し、直管ランプ３００の位置決めを助ける。
【００５７】
ガラス管３１０の寸法公差が小さい場合であれば、このように、ランプ保持部１３０が、口金３２０ではなく、ガラス管３１０と接触して、直管ランプ３００を保持する構成としてもよい。
【００５８】
この実施の形態におけるランプ保持部１３０は、上記チューブ保持部１１０の内側に位置し、内径φ１７が上記直管ランプ３００の発光部（ガラス管３１０）と略等しく、上記直管ランプ３００の発光部（ガラス管３１０）と接触するので、摩擦力により、直管ランプ３００を保持することができ、チューブ２００と直管ランプ３００とを固定するので、作業者が直管ランプ３００を直接持っているのと同じ感覚で、チューブ２００の上から、ランプチューブユニットに覆われた直管ランプ３００を持って作業をすることができ、作業効率が良くなるという効果を奏する。
【００５９】
以上のように、パッキン１００は、直管ランプ３００のガラス管３１０部分で直管ランプ３００を固定する構造であってもよい。
【図面の簡単な説明】
【００６０】
【図１】実施の形態１におけるランプチューブユニットの全体構成を示す図。
【図２】実施の形態１における直管ランプ３００の構造を示す一部破断図。
【図３】実施の形態１におけるチューブ２００の構造を示す一部破断図。
【図４】実施の形態１におけるパッキン１００の構造を示す一部破断図。
【図５】実施の形態１におけるランプチューブユニットが直管ランプ３００を覆い、直管ランプ３００と一体となったときの構造を示す図。
【図６】実施の形態１における照明器具４００の構造を示す図。
【図７】実施の形態１におけるランプソケット４１０の構造を示す図。
【図８】実施の形態１におけるランプソケット４１０に直管ランプ３００を取り付ける様子を示す一部破断図。
【図９】実施の形態１におけるランプソケット４１０の構造の別の例を示す図。
【図１０】実施の形態１におけるランプソケット４１０に直管ランプ３００を取り付けた様子を示す一部破断図。
【図１１】実施の形態１におけるランプソケット４１０の構造の更に別の例を示す図。
【図１２】実施の形態１におけるランプソケット４１０に直管ランプ３００を取り付けた様子を示す一部破断図。
【図１３】実施の形態２におけるパッキン１００の構造を示す一部破断図。
【図１４】実施の形態２におけるランプチューブユニットを直管ランプ３００に取り付けた様子を示す一部破断図。
【符号の説明】
【００６１】
１００  パッキン、１１０  チューブ保持部、１１１  テーパー部、１１２  チューブ接触部、１１３  内壁テーパー部、１１４  ランプ当接部、１２０  チューブ当接部、１２１  チューブ当接面、１２２  庇外周部、１２３  外側テーパー部、１３０  ランプ保持部、１３１，１３３  ランプ接触部、１３２  溝部、１４０  口金保護部、１４１  口金接触部、２００  チューブ、２１０  透光円筒部、２１１  内壁、２１２  外壁、２１３  端面、３００  直管ランプ、３１０  ガラス管、３２０  口金、３３０  電極、３４０  フィラメント、４００  照明器具、４１０  ランプソケット、４１１  ソケット本体、４１２  口金挿入部、４１３  電極挿入スリット、４１６  雄ネジ、４１７  防水パッキン係合溝、４２０  ソケット可動部、４２１  電極挿入穴、４３０  ソケット回転部、４３１  電極挿入溝、４４０  防水ソケットキャップ、４４１  ランプ挿入穴、４４２  防水ソケットパッキン。
【図１】
2009245845.tif 000003
【図２】
2009245845.tif 000004
【図３】
2009245845.tif 000005
【図４】
2009245845.tif 000006
【図５】
2009245845.tif 000007
【図６】
2009245845.tif 000008
【図７】
2009245845.tif 000009
【図８】
2009245845.tif 000010
【図９】
2009245845.tif 000011
【図１０】
2009245845.tif 000012
【図１１】
2009245845.tif 000013
【図１２】
2009245845.tif 000014
【図１３】
2009245845.tif 000015
【図１４】
2009245845.tif 000016